(57)【要約】【課題】ネットワーク上のあらゆるホストコンピュータから保存文書の検索・取り出しを容易に行うことが可能な画像処理システム、装置および方法、プリント処理システムおよび方法、画像取込装置、プリント依頼装置を提供する【解決手段】読み取った画像データに参照情報および認証情報を付加し、画像データとともに格納し、携帯式記憶装置が接続されている場合、画像データに付加した参照情報および認識情報を携帯式記憶装置に格納する。コンピュータは参照情報および認証情報が格納された携帯式記憶装置の接続を検出すると、参照情報および認証情報を読み込み、参照情報に基づいて格納先を認識し、格納先に対して画像取り込み要求を送信し、認証情報に基づいてログインを行い、参照情報に基づいて画像データを取り込む。【選択図】図１
2006060484.tif 000002
【特許請求の範囲】
【請求項１】
原稿を読み取る読取手段と、前記読取手段で読み取った画像データを格納する画像データ格納手段と、前記画像データを前記画像データ格納手段に格納する際に識別情報を該画像データに関連付けて格納する画像データ格納処理手段と、外部記憶装置と接続する第１の外部記憶装置接続手段と、前記第１の外部記憶装置接続手段に前記外部記憶装置が接続しているか否かを判別する第１の判別手段と、前記第１の判別手段により前記第１の外部記憶装置接続手段に前記外部記憶装置が接続していると判別された場合、前記識別情報を該外部記憶装置に格納する識別情報格納処理手段とを具備し、ネットワークと接続する画像処理装置と、
前記外部記憶装置と接続する第２の外部記憶装置接続手段と、前記第２の外部記憶装置接続手段に前記外部記憶装置が接続しているか否かを判別する第２の判別手段と、前記画像データ格納手段に格納された画像データを取り込む画像データ取込手段とを具備し、前記ネットワークと接続する画像取込装置と
を具備し、
前記画像データ取込手段は、前記第２の判別手段により前記第２の外部記憶装置接続手段に前記外部記憶装置が接続していると判別された場合、該外部記憶装置から前記識別情報格納処理手段により格納された識別情報を読み出し、該読み出した識別情報に基づいて前記画像データ格納手段に格納された画像データを検索し、該検索した画像データを取り込む
ことを特徴とする画像処理システム。
【請求項２】
前記識別情報は、
前記画像データの識別番号と、該画像データの格納場所を示す格納場所情報とを含む
ことを特徴とする請求項１記載の画像処理システム。
【請求項３】
前記画像処理装置は、前記読取手段で読み取った画像データの格納場所を選択する格納場所選択手段を具備し、
前記格納場所選択手段により前記ネットワーク上の記憶装置が前記画像データの格納場所と選択された場合、
前記画像データ格納処理手段は、前記画像データと、前記記憶装置が格納場所であることを示す格納場所情報を含む識別情報とを関連付けて該記憶装置に格納し、
前記識別情報格納処理手段は、前記識別情報を前記外部記憶装置に格納し、
前記画像データ取込手段は、前記外部記憶装置から読み出した識別情報に含まれる格納場所情報に基づいて前記画像データを検索する
ことを特徴とする請求項２記載の画像処理システム。
【請求項４】
前記識別情報は、前記格納場所から前記画像データを取り込むための認証情報を含み、
前記画像処理装置または前記記憶装置は、前記認証情報に基づいて前記画像データの取り込みを許可する認証手段を具備し、
前記画像データ取込手段は、前記外部記憶装置から読み出した認証情報に基づき、前記認証手段から前記画像データの取り込みの許可を得る
ことを特徴とする請求項３記載の画像処理システム。
【請求項５】
前記画像処理装置または前記記憶装置に対する動作を指示する動作指示情報、前記格納場所情報の少なくとも１つを前記外部記憶装置に予め記憶させ、
前記画像処理装置は、前記外部記憶装置に予め記憶された格納場所情報が示す格納場所に前記画像データを格納し、
前記画像処理装置または前記記憶装置は、前記外部記憶装置に予め記憶された動作指示情報の指示に従って動作を実施する
ことを特徴とする請求項３記載の画像処理システム。
【請求項６】
前記動作指示情報は、
前記画像データ取込手段により前記画像データが取り込まれた後に、該画像データを削除するか否かを指示する
ことを特徴とする請求項５記載の画像処理システム。
【請求項７】
前記画像データ格納処理手段は、
前記格納場所選択手段により前記格納場所が選択されない場合、該格納場所を前記画像データ格納手段とする
ことを特徴とする請求項３記載の画像処理システム。
【請求項８】
原稿を読み取る読取手段と、前記読取手段で読み取った画像データをネットワーク上の記憶装置に格納する際に識別情報を該画像データに関連付けて格納する画像データ格納処理手段と、外部記憶装置と接続する第１の外部記憶装置接続手段と、前記第１の外部記憶装置接続手段に前記外部記憶装置が接続しているか否かを判別する第１の判別手段と、前記第１の判別手段により前記第１の外部記憶装置接続手段に前記外部記憶装置が接続していると判別された場合、前記識別情報を該外部記憶装置に格納する識別情報格納処理手段とを具備し、前記ネットワークと接続する画像処理装置と、
前記外部記憶装置と接続する第２の外部記憶装置接続手段と、前記第２の外部記憶装置接続手段に前記外部記憶装置が接続しているか否かを判別する第２の判別手段と、前記記憶装置に格納された画像データを取り込む画像データ取込手段とを具備し、前記ネットワークと接続する画像取込装置と
を具備し、
前記画像データ取込手段は、前記第２の判別手段により前記第２の外部記憶装置接続手段に前記外部記憶装置が接続していると判別された場合、該外部記憶装置から前記識別情報格納処理手段により格納された識別情報を読み出し、該読み出した識別情報に基づいて前記記憶装置に格納された画像データを検索し、該検索した画像データを取り込む
ことを特徴とする画像処理システム。
【請求項９】
前記識別情報は、
前記画像データの識別番号と、該画像データの格納場所を示す格納場所情報とを含む
ことを特徴とする請求項８記載の画像処理システム。
【請求項１０】
前記画像処理装置は、
前記読取手段で読み取った画像データの格納場所を選択する格納場所選択手段
を具備することを特徴とする請求項９記載の画像処理システム。
【請求項１１】
前記識別情報は、前記格納場所から前記画像データを取り込むための認証情報を含み、
前記画像処理装置または前記記憶装置は、前記認証情報に基づいて前記画像データの取り込みを許可する認証手段を具備し、
前記画像データ取込手段は、前記外部記憶装置から読み出した認証情報に基づき、前記認証手段から前記画像データの取り込みの許可を得る
ことを特徴とする請求項１０記載の画像処理システム。
【請求項１２】
前記画像処理装置または前記記憶装置に対する動作を指示する動作指示情報、前記格納場所情報の少なくとも１つを前記外部記憶装置に予め記憶させ、
前記画像処理装置は、前記外部記憶装置に予め記憶された格納場所情報が示す格納場所に前記画像データを格納し、
前記画像処理装置または前記記憶装置は、前記外部記憶装置に予め記憶された動作指示情報の指示に従って動作を実施する
ことを特徴とする請求項１０記載の画像処理システム。
【請求項１３】
前記動作指示情報は、
前記画像データ取込手段により前記画像データが取り込まれた後に、該画像データを削除するか否かを指示する
ことを特徴とする請求項１２記載の画像処理システム。
【請求項１４】
ネットワークと接続する画像処理装置において、
原稿を読み取る読取手段と、
前記読取手段で読み取った画像データを格納する画像データ格納手段と、
前記画像データを前記画像データ格納手段に格納する際に識別情報を該画像データに関連付けて格納する画像データ格納処理手段と、
外部記憶装置と接続する外部記憶装置接続手段と、
前記外部記憶装置接続手段に前記外部記憶装置が接続しているか否かを判別する判別手段と、
前記判別手段により前記外部記憶装置接続手段に前記外部記憶装置が接続していると判別された場合、前記識別情報を該外部記憶装置に格納する識別情報格納処理手段と
を具備し、
前記外部記憶装置から前記識別情報を読み出した前記ネットワーク上の画像取込装置からの該識別情報に基づく前記画像データの取り込みの要求を受け付け、
該受け付けた要求に従って前記画像データを前記画像取込装置に取り込ませる
ことを特徴とする画像処理装置。
【請求項１５】
前記識別情報は、
前記画像データの識別番号と、該画像データの格納場所を示す格納場所情報とを含む
ことを特徴とする請求項１４記載の画像処理装置。
【請求項１６】
前記読取手段で読み取った画像データの格納場所を選択する格納場所選択手段
を更に具備し、
前記画像データ格納処理手段は、
前記格納場所選択手段により前記ネットワーク上の記憶装置が前記画像データの格納場所と選択された場合、
前記画像データと、前記記憶装置が格納場所であることを示す格納場所情報を含む識別情報とを関連付けて該記憶装置に格納し、
前記識別情報格納処理手段は、前記識別情報を前記外部記憶装置に格納する
ことを特徴とする請求項１５記載の画像処理装置。
【請求項１７】
前記識別情報は、
前記格納場所から前記画像データを取り込むための認証情報を含み、
前記認証情報に基づいて前記画像データの取り込みを許可する認証手段
を具備することを特徴とする請求項１６記載の画像処理装置。
【請求項１８】
動作を指示する動作指示情報、前記格納場所情報の少なくとも１つを前記外部記憶装置に予め記憶させ、
前記外部記憶装置に予め記憶された格納場所情報が示す格納場所に前記画像データを格納し、
前記外部記憶装置に予め記憶された動作指示情報の指示に従って動作を実施する
ことを特徴とする請求項１６記載の画像処理装置。
【請求項１９】
前記動作指示情報は、
前記画像データ取込手段により前記画像データが取り込まれた後に、該画像データを削除するか否かを指示する
ことを特徴とする請求項１８記載の画像処理装置。
【請求項２０】
前記画像データ格納処理手段は、
前記格納場所選択手段により前記格納場所が選択されない場合、該格納場所を前記画像データ格納手段とする
ことを特徴とする請求項１６記載の画像処理装置。
【請求項２１】
ネットワークと接続する画像処理装置において、
原稿を読み取る読取手段と、
前記読取手段で読み取った画像データをネットワーク上の記憶装置に格納する際に識別情報を該画像データに関連付けて格納する画像データ格納処理手段と、
外部記憶装置と接続する外部記憶装置接続手段と、
前記外部記憶装置接続手段に前記外部記憶装置が接続しているか否かを判別する判別手段と、
前記判別手段により前記外部記憶装置接続手段に前記外部記憶装置が接続していると判別された場合、前記識別情報を該外部記憶装置に格納する識別情報格納処理手段と
を具備することを特徴とする画像処理装置。
【請求項２２】
前記識別情報は、
前記画像データの識別番号と、該画像データの格納場所を示す格納場所情報とを含む
ことを特徴とする請求項２１記載の画像処理装置。
【請求項２３】
前記読取手段で読み取った画像データの格納場所を選択する格納場所選択手段
を更に具備することを特徴とする請求項２２記載の画像処理装置。
【請求項２４】
前記識別情報は、
前記格納場所から前記画像データを取り込むための認証情報を含む
ことを特徴とする請求項２３記載の画像処理装置。
【請求項２５】
動作を指示する動作指示情報、前記格納場所情報の少なくとも１つを前記外部記憶装置に予め記憶させ、
前記外部記憶装置に予め記憶された格納場所情報が示す格納場所に前記画像データを格納し、
前記外部記憶装置に予め記憶された動作指示情報の指示に従って動作を実施する
ことを特徴とする請求項２４記載の画像処理装置。
【請求項２６】
読み取った画像データを格納する際に識別情報を該画像データに関連付けて格納するとともに、該識別情報を外部記憶装置に格納する画像処理装置とネットワークを介して接続する画像取込装置において、
前記外部記憶装置と接続する外部記憶装置接続手段と、
前記外部記憶装置接続手段に前記外部記憶装置が接続しているか否かを判別する判別手段と、
前記画像処理装置に格納された画像データを取り込む画像データ取込手段と
を具備し、
前記画像データ取込手段は、
前記判別手段により前記外部記憶装置接続手段に前記外部記憶装置が接続していると判別された場合、該外部記憶装置から前記識別情報を読み出し、
該読み出した識別情報に基づいて前記画像処理装置に格納された画像データを検索し、該検索した画像データを取り込む
ことを特徴とする画像取込装置。
【請求項２７】
前記識別情報は、
前記画像データの識別番号と、該画像データの格納場所を示す格納場所情報を含む
ことを特徴とする請求項２６記載の画像取込装置。
【請求項２８】
前記画像データ取込手段は、
前記画像データが前記ネットワーク上の記憶装置に格納された場合、
前記外部記憶装置から読み出した前記記憶装置が格納場所であることを示す格納場所情報を含む識別情報に基づいて前記画像データを検索する
ことを特徴とする請求項２７記載の画像取込装置。
【請求項２９】
前記識別情報は、
前記格納場所から前記画像データを取り込むための認証情報を含み、
前記画像データ取込手段は、
前記外部記憶装置から読み出した認証情報に基づき、前記画像処理装置または前記記憶装置から前記画像データの取り込みの許可を得る
ことを特徴とする請求項２８記載の画像取込装置。
【請求項３０】
ネットワークと接続する画像処理装置は、
原稿を読み取り、
該読み取った画像データを格納する際に識別情報を該画像データに関連付けて格納し、
前記画像データを格納する際に外部記憶装置が接続している場合、前記識別情報を該外部記憶装置に格納し、
前記ネットワークと接続する画像取込装置は、
前記外部記憶装置が接続している場合、該外部記憶装置から前記識別情報を読み出し、
該読み出した識別情報に基づき、前記画像処理装置に格納された画像データを検索し、
該検索した画像データを取り込む
ことを特徴とする画像処理方法。
【請求項３１】
前記識別情報は、
前記画像データの識別番号と、該画像データの格納場所を示す格納場所情報とを含む
ことを特徴とする請求項３０記載の画像処理方法。
【請求項３２】
前記画像処理装置は、
前記読み取った画像データの格納場所の選択を受け付け、
前記画像データの格納場所として前記ネットワーク上の記憶装置の選択を受け付けた場合、
前記画像データと、前記記憶装置が格納場所であることを示す格納場所情報を含む識別情報とを関連付けて該記憶装置に格納し、
前記識別情報を前記外部記憶装置に格納し、
前記画像取込装置は、
前記外部記憶装置から読み出した識別情報に含まれる格納場所情報に基づいて前記画像データを検索する
ことを特徴とする請求項３１記載の画像処理方法。
【請求項３３】
前記識別情報は、
前記格納場所から前記画像データを取り込むための認証情報を含み、
前記画像取込装置は、
前記外部記憶装置から読み出した認証情報に基づき、前記画像処理装置または前記記憶装置から前記画像データの取り込みの許可を得る
ことを特徴とする請求項３２記載の画像処理方法。
【請求項３４】
前記画像処理装置または前記記憶装置に対する動作を指示する動作指示情報、前記格納場所情報の少なくとも１つを前記外部記憶装置に予め記憶させ、
前記画像処理装置は、前記外部記憶装置に予め記憶された格納場所情報が示す格納場所に前記画像データを格納し、
前記画像処理装置または前記記憶装置は、前記外部記憶装置に予め記憶された動作指示情報の指示に従って動作を実施する
ことを特徴とする請求項３２記載の画像処理方法。
【請求項３５】
前記動作指示情報は、
前記画像取込装置により前記画像データが取り込まれた後に、該画像データを削除するか否かを指示する
ことを特徴とする請求項３４記載の画像処理方法。
【請求項３６】
前記画像処理装置は、
前記格納場所が選択されない場合、該格納場所を前記画像処理装置とする
ことを特徴とする請求項３２記載の画像処理方法。
【請求項３７】
プリントデータの出力を依頼する際に識別情報を該プリントデータに付加して依頼するプリントデータ出力依頼手段と、外部記憶装置と接続する第１の外部記憶装置接続手段と、前記第１の外部記憶装置接続手段に前記外部記憶装置が接続しているか否かを判別する第１の判別手段と、前記第１の判別手段により前記第１の外部記憶装置接続手段に前記外部記憶装置が接続していると判別された場合、前記識別情報を該外部記憶装置に格納する識別情報格納処理手段とを具備し、ネットワークと接続するプリント依頼装置と、
前記プリント依頼装置からのプリントデータの出力の依頼を受け付ける受付手段と、前記受付手段で受け付けたプリントデータを格納するプリントデータ格納手段と、前記プリントデータ格納手段に格納されたプリントデータを読み出して出力する出力処理手段と、前記外部記憶装置と接続する第２の外部記憶装置接続手段と、前記第２の外部記憶装置接続手段に前記外部記憶装置が接続しているか否かを判別する第２の判別手段とを具備し、前記ネットワークと接続する画像処理装置と
を具備し、
前記出力処理手段は、
前記第２の判別手段により前記第２の外部記憶装置接続手段に前記外部記憶装置が接続していると判別された場合、該外部記憶装置から前記識別情報格納処理手段により格納された識別情報を読み出し、該読み出した識別情報に基づいて前記プリントデータ格納手段に格納されたプリントデータを検索し、該検索したプリントデータを出力する
ことを特徴とするプリント処理システム。
【請求項３８】
前記識別情報は、
前記画像データの識別番号と、該画像データの格納場所を示す格納場所情報とを含む
ことを特徴とする請求項３７記載のプリント処理システム。
【請求項３９】
前記識別情報は、前記プリントデータを出力するための認証情報を含み、
前記画像処理装置は、前記認証情報に基づいて前記プリントデータの出力を許可する認証手段を具備し、
前記出力処理手段は、前記外部記憶装置から読み出した認証情報に基づいて前記認証手段で許可されたプリントデータを出力する
ことを特徴とする請求項３７記載のプリント処理システム。
【請求項４０】
前記画像処理装置に対する動作を指示する動作指示情報、前記プリントデータの出力を依頼する画像処理装置を示す依頼先情報の少なくとも１つを前記外部記憶装置に予め記憶させ、
前記プリント依頼装置は、前記外部記憶装置に予め記憶された依頼先情報に従って前記プリントデータの出力を依頼し、
前記画像処理装置は、前記外部記憶装置に予め記憶された動作指示情報の指示に従って動作を実施する
ことを特徴とする請求項３７記載のプリント処理システム。
【請求項４１】
前記動作指示情報は、
前記出力処理手段により前記プリントデータが出力された後に、該プリントデータを削除するか否かを指示する
ことを特徴とする請求項４０記載のプリント処理システム。
【請求項４２】
プリントデータの出力を依頼する際に識別情報を該プリントデータに付加して依頼するとともに、該識別情報を外部記憶装置に格納するプリント依頼装置とネットワークを介して接続する画像処理装置において、
前記プリント依頼装置からのプリントデータの出力の依頼を受け付ける受付手段と、
前記受付手段で受け付けたプリントデータを格納するプリントデータ格納手段と、
前記プリントデータ格納手段に格納されたプリントデータを読み出して出力する出力処理手段と、
前記外部記憶装置と接続する第２の外部記憶装置接続手段と、
前記第２の外部記憶装置接続手段に前記外部記憶装置が接続しているか否かを判別する第２の判別手段と
を具備し、
前記出力処理手段は、
前記第２の判別手段により前記第２の外部記憶装置接続手段に前記外部記憶装置が接続していると判別された場合、該外部記憶装置から前記識別情報格納処理手段により格納された識別情報を読み出し、該読み出した識別情報に基づいて前記プリントデータ格納手段に格納されたプリントデータを検索し、該検索したプリントデータを出力する
ことを特徴とする画像処理装置。
【請求項４３】
前記識別情報は、
前記画像データの識別番号と、該画像データの格納場所を示す格納場所情報とを含む
ことを特徴とする請求項４２記載の画像処理装置。
【請求項４４】
前記識別情報は、
前記プリントデータを出力するための認証情報を含み、
前記認証情報に基づいて前記プリントデータの出力を許可する認証手段を具備し、
前記出力処理手段は、
前記外部記憶装置から読み出した認証情報に基づいて前記認証手段で許可されたプリントデータを出力する
ことを特徴とする請求項４２記載の画像処理装置。
【請求項４５】
動作を指示する動作指示情報を前記外部記憶装置に予め記憶させ、
前記外部記憶装置に予め記憶された動作指示情報の指示に従って動作を実施する
ことを特徴とする請求項４２記載の画像処理装置。
【請求項４６】
前記動作指示情報は、
前記出力処理手段により前記プリントデータが出力された後に、該プリントデータを削除するか否かを指示する
ことを特徴とする請求項４５記載の画像処理装置。
【請求項４７】
ネットワークに接続するプリント依頼装置において、
前記ネットワーク上の画像処理装置にプリントデータの出力を依頼する際に識別情報を該プリントデータに付加して依頼するプリントデータ出力依頼手段と、
外部記憶装置と接続する第１の外部記憶装置接続手段と、
前記第１の外部記憶装置接続手段に前記外部記憶装置が接続しているか否かを判別する第１の判別手段と、
前記第１の判別手段により前記第１の外部記憶装置接続手段に前記外部記憶装置が接続していると判別された場合、前記識別情報を該外部記憶装置に格納する識別情報格納処理手段と
を具備することを特徴とするプリント依頼装置。
【請求項４８】
前記識別情報は、
前記画像データの識別番号と、該画像データの格納場所を示す格納場所情報とを含む
ことを特徴とする請求項４７記載のプリント依頼装置。
【請求項４９】
前記識別情報は、
前記プリントデータを出力するための認証情報を含む
ことを特徴とする請求項４７記載のプリント依頼装置。
【請求項５０】
前記プリントデータの出力を依頼する画像処理装置を示す依頼先情報を前記外部記憶装置に予め記憶させ、
前記外部記憶装置に予め記憶された依頼先情報に従って前記プリントデータの出力を依頼する
ことを特徴とする請求項４７記載のプリント依頼装置。
【請求項５１】
ネットワークと接続するプリント依頼装置は、
プリントデータの出力を依頼する際に識別情報を該プリントデータに付加して依頼し、  前記プリントデータの出力を依頼する際に外部記憶装置が接続している場合、前記識別情報を該外部記憶装置に格納し、
前記ネットワークと接続する画像処理装置は、
前記プリント依頼装置からのプリントデータの出力の依頼を受け付け、
該受け付けたプリントデータを格納し、
前記外部記憶装置が接続していると判別された場合、該外部記憶装置から前記識別情報を読み出し、
該読み出した識別情報に基づき、前記格納されたプリントデータを検索し、
該検索したプリントデータを出力する
ことを特徴とするプリント処理方法。
【請求項５２】
前記識別情報は、
前記画像データの識別番号と、該画像データの格納場所を示す格納場所情報とを含む
ことを特徴とする請求項５１記載のプリント処理方法。
【請求項５３】
前記識別情報は、
前記プリントデータを出力するための認証情報を含み、
前記画像処理装置は、
前記外部記憶装置から読み出した認証情報に基づいて許可されたプリントデータを出力する
ことを特徴とする請求項５１記載のプリント処理方法。
【請求項５４】
前記画像処理装置に対する動作を指示する動作指示情報、前記プリントデータの出力を依頼する画像処理装置を示す依頼先情報の少なくとも１つを前記外部記憶装置に予め記憶させ、
前記プリント依頼装置は、前記外部記憶装置に予め記憶された依頼先情報に従って前記プリントデータの出力を依頼し、
前記画像処理装置は、前記外部記憶装置に予め記憶された動作指示情報の指示に従って動作を実施する
ことを特徴とする請求項５１記載のプリント処理方法。
【請求項５５】
前記動作指示情報は、
前記プリントデータが出力された後に、該プリントデータを削除するか否かを指示する
ことを特徴とする請求項５４記載のプリント処理方法。
【発明の詳細な説明】
【技術分野】
【０００１】
本発明は、画像処理システム、装置および方法、プリント処理システムおよび方法、画像取込装置、プリント依頼装置に関し、特に、保存した文書の検索および取り込みを行う画像処理システム、装置および方法、プリント処理システムおよび方法、画像取込装置、プリント依頼装置に関する。
【背景技術】
【０００２】
ハードコピーを電子文書として保存する場合、スキャナ装置等でいくつかの操作（例えば、個人ＢＯＸ選択、サーバ選択等）を実施する必要があるために操作が煩わしく、また、保存した文書の検索・取り出しの際には予め装置の情報（例えば、マシンのＩＰアドレス、ホスト名、個人ＢＯＸ番号等）を知っておく必要がある。
【０００３】
例えば、印字された紙文書の読み込みによって文書の検索・取り出しを可能にする電子文書のファイル処理方法および装置がある（例えば、特許文献１参照。）。
【０００４】
また、例えば、スキャナ装置で読み取った画像データを装置に接続した外部記憶装置に直接記憶し、その記憶装置に記録されたデータをホストコンピュータで直接取り出すデジタル複写機がある（例えば、特許文献２参照。）。
【０００５】
また、例えば、スキャナ装置で読み取った画像データを相手に受け渡す場合、装置上でスキャンしたデータをそのまま電子メールで送信したり、装置上でスキャンしたデータをＷｅｂサーバに登録して格納アドレスを電子メールで通知する画像転送装置がある（例えば、特許文献３参照。）。
【０００６】
また、例えば、ＣＤ（コンパクトデスク）に記録された認証情報とプログラムとによって、ローカルのコンピュータからインターネットに存在する資源を利用できるようにする携帯型記憶媒体及び該記憶媒体を用いてネットワーク上のリモート貯蔵装置をローカルコンピュータの補助記憶装置として活用する方法がある（例えば、特許文献４参照。）。
【特許文献１】特開平１１−３３５２号公報
【特許文献２】特開平８−２２３３４５号公報
【特許文献３】特開平１１−１１２７６７号公報
【特許文献４】特開２００３−５８４１２号公報
【発明の開示】
【発明が解決しようとする課題】
【０００７】
しかし、上記特許文献１に記載の技術では、電子文書を保存する度に電子文書と対応付けられた少なくとも１つの印刷文書が排紙されるので資源の無駄であるとともに、文書の検索・取り出しの操作が紙文書が読み込みできる装置に限られてしまうという問題がある。
【０００８】
また、上記特許文献２に記載の技術では、スキャナ装置で読み取った画像データを保存するには外部記憶装置の容量に大きく依存することになり、数百枚単位のデータまたはカラーで且つ解像度を高くしたようなデータは保存できない可能性があるという問題がある。
【０００９】
また、上記特許文献３に記載の技術では、ネットワークが整ったシステム（例えば、文書の受け取り人がＰＯＰアカウントをもっていること）での運用に限られるという問題がある。
【００１０】
また、上記特許文献４に記載の技術では、単にインターネットに存在する資源を利用するためのハードウェアキーに他ならず、１つの利用形態に留まっている。
【００１１】
そこで、本発明は、読み取り装置での読み込み時に画像データに識別子を付加し、装置内の記憶装置若しくは外部サーバに保存するとともに、装置に接続した外部記憶装置にも識別子情報、格納先情報および認証情報等を格納し、これらの情報に基づいてネットワーク上のあらゆるホストコンピュータから保存文書の検索・取り出しを容易に行うことが可能な画像処理システム、装置および方法、プリント処理システムおよび方法、画像取込装置、プリント依頼装置を提供することを目的とする。
【課題を解決するための手段】
【００１２】
上記目的を達成するため、請求項１の発明は、原稿を読み取る読取手段と、前記読取手段で読み取った画像データを格納する画像データ格納手段と、前記画像データを前記画像データ格納手段に格納する際に識別情報を該画像データに関連付けて格納する画像データ格納処理手段と、外部記憶装置と接続する第１の外部記憶装置接続手段と、前記第１の外部記憶装置接続手段に前記外部記憶装置が接続しているか否かを判別する第１の判別手段と、前記第１の判別手段により前記第１の外部記憶装置接続手段に前記外部記憶装置が接続していると判別された場合、前記識別情報を該外部記憶装置に格納する識別情報格納処理手段とを具備し、ネットワークと接続する画像処理装置と、前記外部記憶装置と接続する第２の外部記憶装置接続手段と、前記第２の外部記憶装置接続手段に前記外部記憶装置が接続しているか否かを判別する第２の判別手段と、前記画像データ格納手段に格納された画像データを取り込む画像データ取込手段とを具備し、前記ネットワークと接続する画像取込装置とを具備し、前記画像データ取込手段は、前記第２の判別手段により前記第２の外部記憶装置接続手段に前記外部記憶装置が接続していると判別された場合、該外部記憶装置から前記識別情報格納処理手段により格納された識別情報を読み出し、該読み出した識別情報に基づいて前記画像データ格納手段に格納された画像データを検索し、該検索した画像データを取り込むことを特徴とする。
【００１３】
また、請求項２の発明は、請求項１の発明において、前記識別情報は、前記画像データの識別番号と、該画像データの格納場所を示す格納場所情報とを含むことを特徴とする。
【００１４】
また、請求項３の発明は、請求項２の発明において、前記画像処理装置は、前記読取手段で読み取った画像データの格納場所を選択する格納場所選択手段を具備し、前記格納場所選択手段により前記ネットワーク上の記憶装置が前記画像データの格納場所と選択された場合、前記画像データ格納処理手段は、前記画像データと、前記記憶装置が格納場所であることを示す格納場所情報を含む識別情報とを関連付けて該記憶装置に格納し、前記識別情報格納処理手段は、前記識別情報を前記外部記憶装置に格納し、前記画像データ取込手段は、前記外部記憶装置から読み出した識別情報に含まれる格納場所情報に基づいて前記画像データを検索することを特徴とする。
【００１５】
また、請求項４の発明は、請求項３の発明において、前記識別情報は、前記格納場所から前記画像データを取り込むための認証情報を含み、前記画像処理装置または前記記憶装置は、前記認証情報に基づいて前記画像データの取り込みを許可する認証手段を具備し、前記画像データ取込手段は、前記外部記憶装置から読み出した認証情報に基づき、前記認証手段から前記画像データの取り込みの許可を得ることを特徴とする。
【００１６】
また、請求項５の発明は、請求項３の発明において、前記画像処理装置または前記記憶装置に対する動作を指示する動作指示情報、前記格納場所情報の少なくとも１つを前記外部記憶装置に予め記憶させ、前記画像処理装置は、前記外部記憶装置に予め記憶された格納場所情報が示す格納場所に前記画像データを格納し、前記画像処理装置または前記記憶装置は、前記外部記憶装置に予め記憶された動作指示情報の指示に従って動作を実施することを特徴とする。
【００１７】
また、請求項６の発明は、請求項５の発明において、前記動作指示情報は、前記画像データ取込手段により前記画像データが取り込まれた後に、該画像データを削除するか否かを指示することを特徴とする。
【００１８】
また、請求項７の発明は、請求項３の発明において、前記画像データ格納処理手段は、前記格納場所選択手段により前記格納場所が選択されない場合、該格納場所を前記画像データ格納手段とすることを特徴とする。
【００１９】
また、請求項８の発明は、原稿を読み取る読取手段と、前記読取手段で読み取った画像データをネットワーク上の記憶装置に格納する際に識別情報を該画像データに関連付けて格納する画像データ格納処理手段と、外部記憶装置と接続する第１の外部記憶装置接続手段と、前記第１の外部記憶装置接続手段に前記外部記憶装置が接続しているか否かを判別する第１の判別手段と、前記第１の判別手段により前記第１の外部記憶装置接続手段に前記外部記憶装置が接続していると判別された場合、前記識別情報を該外部記憶装置に格納する識別情報格納処理手段とを具備し、前記ネットワークと接続する画像処理装置と、前記外部記憶装置と接続する第２の外部記憶装置接続手段と、前記第２の外部記憶装置接続手段に前記外部記憶装置が接続しているか否かを判別する第２の判別手段と、前記記憶装置に格納された画像データを取り込む画像データ取込手段とを具備し、前記ネットワークと接続する画像取込装置とを具備し、前記画像データ取込手段は、前記第２の判別手段により前記第２の外部記憶装置接続手段に前記外部記憶装置が接続していると判別された場合、該外部記憶装置から前記識別情報格納処理手段により格納された識別情報を読み出し、該読み出した識別情報に基づいて前記記憶装置に格納された画像データを検索し、該検索した画像データを取り込むことを特徴とする。
【００２０】
また、請求項９の発明は、請求項８の発明において、前記識別情報は、前記画像データの識別番号と、該画像データの格納場所を示す格納場所情報とを含むことを特徴とする。
【００２１】
また、請求項１０の発明は、請求項９の発明において、前記画像処理装置は、前記読取手段で読み取った画像データの格納場所を選択する格納場所選択手段を具備することを特徴とする。
【００２２】
また、請求項１１の発明は、請求項１０の発明において、前記識別情報は、前記格納場所から前記画像データを取り込むための認証情報を含み、前記画像処理装置または前記記憶装置は、前記認証情報に基づいて前記画像データの取り込みを許可する認証手段を具備し、前記画像データ取込手段は、前記外部記憶装置から読み出した認証情報に基づき、前記認証手段から前記画像データの取り込みの許可を得ることを特徴とする。
【００２３】
また、請求項１２の発明は、請求項１０の発明において、前記画像処理装置または前記記憶装置に対する動作を指示する動作指示情報、前記格納場所情報の少なくとも１つを前記外部記憶装置に予め記憶させ、前記画像処理装置は、前記外部記憶装置に予め記憶された格納場所情報が示す格納場所に前記画像データを格納し、前記画像処理装置または前記記憶装置は、前記外部記憶装置に予め記憶された動作指示情報の指示に従って動作を実施することを特徴とする。
【００２４】
また、請求項１３の発明は、請求項１２の発明において、前記動作指示情報は、前記画像データ取込手段により前記画像データが取り込まれた後に、該画像データを削除するか否かを指示することを特徴とする。
【００２５】
また、請求項１４の発明は、ネットワークと接続する画像処理装置において、原稿を読み取る読取手段と、前記読取手段で読み取った画像データを格納する画像データ格納手段と、前記画像データを前記画像データ格納手段に格納する際に識別情報を該画像データに関連付けて格納する画像データ格納処理手段と、外部記憶装置と接続する外部記憶装置接続手段と、前記外部記憶装置接続手段に前記外部記憶装置が接続しているか否かを判別する判別手段と、前記判別手段により前記外部記憶装置接続手段に前記外部記憶装置が接続していると判別された場合、前記識別情報を該外部記憶装置に格納する識別情報格納処理手段とを具備し、前記外部記憶装置から前記識別情報を読み出した前記ネットワーク上の画像取込装置からの該識別情報に基づく前記画像データの取り込みの要求を受け付け、該受け付けた要求に従って前記画像データを前記画像取込装置に取り込ませることを特徴とする。
【００２６】
また、請求項１５の発明は、請求項１４の発明において、前記識別情報は、前記画像データの識別番号と、該画像データの格納場所を示す格納場所情報とを含むことを特徴とする。
【００２７】
また、請求項１６の発明は、請求項１５の発明において、前記読取手段で読み取った画像データの格納場所を選択する格納場所選択手段を更に具備し、前記画像データ格納処理手段は、前記格納場所選択手段により前記ネットワーク上の記憶装置が前記画像データの格納場所と選択された場合、前記画像データと、前記記憶装置が格納場所であることを示す格納場所情報を含む識別情報とを関連付けて該記憶装置に格納し、前記識別情報格納処理手段は、前記識別情報を前記外部記憶装置に格納することを特徴とする。
【００２８】
また、請求項１７の発明は、請求項１６の発明において、前記識別情報は、前記格納場所から前記画像データを取り込むための認証情報を含み、前記認証情報に基づいて前記画像データの取り込みを許可する認証手段を具備することを特徴とする。
【００２９】
また、請求項１８の発明は、請求項１６の発明において、動作を指示する動作指示情報、前記格納場所情報の少なくとも１つを前記外部記憶装置に予め記憶させ、前記外部記憶装置に予め記憶された格納場所情報が示す格納場所に前記画像データを格納し、前記外部記憶装置に予め記憶された動作指示情報の指示に従って動作を実施することを特徴とする。
【００３０】
また、請求項１９の発明は、請求項１８の発明において、前記動作指示情報は、前記画像データ取込手段により前記画像データが取り込まれた後に、該画像データを削除するか否かを指示することを特徴とする。
【００３１】
また、請求項２０の発明は、請求項１６の発明において、前記画像データ格納処理手段は、前記格納場所選択手段により前記格納場所が選択されない場合、該格納場所を前記画像データ格納手段とすることを特徴とする。
【００３２】
また、請求項２１の発明は、ネットワークと接続する画像処理装置において、原稿を読み取る読取手段と、前記読取手段で読み取った画像データをネットワーク上の記憶装置に格納する際に識別情報を該画像データに関連付けて格納する画像データ格納処理手段と、外部記憶装置と接続する外部記憶装置接続手段と、前記外部記憶装置接続手段に前記外部記憶装置が接続しているか否かを判別する判別手段と、前記判別手段により前記外部記憶装置接続手段に前記外部記憶装置が接続していると判別された場合、前記識別情報を該外部記憶装置に格納する識別情報格納処理手段とを具備することを特徴とする。
【００３３】
また、請求項２２の発明は、請求項２１の発明において、前記識別情報は、前記画像データの識別番号と、該画像データの格納場所を示す格納場所情報とを含むことを特徴とする。
【００３４】
また、請求項２３の発明は、請求項２２の発明において、前記読取手段で読み取った画像データの格納場所を選択する格納場所選択手段を更に具備することを特徴とする。
【００３５】
また、請求項２４の発明は、請求項２３の発明において、前記識別情報は、前記格納場所から前記画像データを取り込むための認証情報を含むことを特徴とする。
【００３６】
また、請求項２５の発明は、請求項２４の発明において、動作を指示する動作指示情報、前記格納場所情報の少なくとも１つを前記外部記憶装置に予め記憶させ、前記外部記憶装置に予め記憶された格納場所情報が示す格納場所に前記画像データを格納し、前記外部記憶装置に予め記憶された動作指示情報の指示に従って動作を実施することを特徴とする。
【００３７】
また、請求項２６の発明は、読み取った画像データを格納する際に識別情報を該画像データに関連付けて格納するとともに、該識別情報を外部記憶装置に格納する画像処理装置とネットワークを介して接続する画像取込装置において、前記外部記憶装置と接続する外部記憶装置接続手段と、前記外部記憶装置接続手段に前記外部記憶装置が接続しているか否かを判別する判別手段と、前記画像処理装置に格納された画像データを取り込む画像データ取込手段とを具備し、前記画像データ取込手段は、前記判別手段により前記外部記憶装置接続手段に前記外部記憶装置が接続していると判別された場合、該外部記憶装置から前記識別情報を読み出し、該読み出した識別情報に基づいて前記画像処理装置に格納された画像データを検索し、該検索した画像データを取り込むことを特徴とする。
【００３８】
また、請求項２７の発明は、請求項２６の発明において、前記識別情報は、前記画像データの識別番号と、該画像データの格納場所を示す格納場所情報を含むことを特徴とする。
【００３９】
また、請求項２８の発明は、請求項２７の発明において、前記画像データ取込手段は、前記画像データが前記ネットワーク上の記憶装置に格納された場合、前記外部記憶装置から読み出した前記記憶装置が格納場所であることを示す格納場所情報を含む識別情報に基づいて前記画像データを検索することを特徴とする。
【００４０】
また、請求項２９の発明は、請求項２８の発明において、前記識別情報は、前記格納場所から前記画像データを取り込むための認証情報を含み、前記画像データ取込手段は、前記外部記憶装置から読み出した認証情報に基づき、前記画像処理装置または前記記憶装置から前記画像データの取り込みの許可を得ることを特徴とする。
【００４１】
また、請求項３０の発明は、ネットワークと接続する画像処理装置は、原稿を読み取り、該読み取った画像データを格納する際に識別情報を該画像データに関連付けて格納し、前記画像データを格納する際に外部記憶装置が接続している場合、前記識別情報を該外部記憶装置に格納し、前記ネットワークと接続する画像取込装置は、前記外部記憶装置が接続している場合、該外部記憶装置から前記識別情報を読み出し、該読み出した識別情報に基づき、前記画像処理装置に格納された画像データを検索し、該検索した画像データを取り込むことを特徴とする。
【００４２】
また、請求項３１の発明は、請求項３０の発明において、前記識別情報は、前記画像データの識別番号と、該画像データの格納場所を示す格納場所情報とを含むことを特徴とする。
【００４３】
また、請求項３２の発明は、請求項３１の発明において、前記画像処理装置は、前記読み取った画像データの格納場所の選択を受け付け、前記画像データの格納場所として前記ネットワーク上の記憶装置の選択を受け付けた場合、前記画像データと、前記記憶装置が格納場所であることを示す格納場所情報を含む識別情報とを関連付けて該記憶装置に格納し、前記識別情報を前記外部記憶装置に格納し、前記画像取込装置は、前記外部記憶装置から読み出した識別情報に含まれる格納場所情報に基づいて前記画像データを検索することを特徴とする。
【００４４】
また、請求項３３の発明は、請求項３２の発明において、前記識別情報は、前記格納場所から前記画像データを取り込むための認証情報を含み、前記画像取込装置は、前記外部記憶装置から読み出した認証情報に基づき、前記画像処理装置または前記記憶装置から前記画像データの取り込みの許可を得ることを特徴とする。
【００４５】
また、請求項３４の発明は、請求項３２の発明において、前記画像処理装置または前記記憶装置に対する動作を指示する動作指示情報、前記格納場所情報の少なくとも１つを前記外部記憶装置に予め記憶させ、前記画像処理装置は、前記外部記憶装置に予め記憶された格納場所情報が示す格納場所に前記画像データを格納し、前記画像処理装置または前記記憶装置は、前記外部記憶装置に予め記憶された動作指示情報の指示に従って動作を実施することを特徴とする。
【００４６】
また、請求項３５の発明は、請求項３４の発明において、前記動作指示情報は、前記画像取込装置により前記画像データが取り込まれた後に、該画像データを削除するか否かを指示することを特徴とする。
【００４７】
また、請求項３６の発明は、請求項３２の発明において、前記画像処理装置は、前記格納場所が選択されない場合、該格納場所を前記画像処理装置とすることを特徴とする。
【００４８】
また、請求項３７の発明は、プリントデータの出力を依頼する際に識別情報を該プリントデータに付加して依頼するプリントデータ出力依頼手段と、外部記憶装置と接続する第１の外部記憶装置接続手段と、前記第１の外部記憶装置接続手段に前記外部記憶装置が接続しているか否かを判別する第１の判別手段と、前記第１の判別手段により前記第１の外部記憶装置接続手段に前記外部記憶装置が接続していると判別された場合、前記識別情報を該外部記憶装置に格納する識別情報格納処理手段とを具備し、ネットワークと接続するプリント依頼装置と、前記プリント依頼装置からのプリントデータの出力の依頼を受け付ける受付手段と、前記受付手段で受け付けたプリントデータを格納するプリントデータ格納手段と、前記プリントデータ格納手段に格納されたプリントデータを読み出して出力する出力処理手段と、前記外部記憶装置と接続する第２の外部記憶装置接続手段と、前記第２の外部記憶装置接続手段に前記外部記憶装置が接続しているか否かを判別する第２の判別手段とを具備し、前記ネットワークと接続する画像処理装置とを具備し、前記出力処理手段は、前記第２の判別手段により前記第２の外部記憶装置接続手段に前記外部記憶装置が接続していると判別された場合、該外部記憶装置から前記識別情報格納処理手段により格納された識別情報を読み出し、該読み出した識別情報に基づいて前記プリントデータ格納手段に格納されたプリントデータを検索し、該検索したプリントデータを出力することを特徴とする。
【００４９】
また、請求項３８の発明は、請求項３７の発明において、前記識別情報は、前記画像データの識別番号と、該画像データの格納場所を示す格納場所情報とを含むことを特徴とする。
【００５０】
また、請求項３９の発明は、請求項３７の発明において、前記識別情報は、前記プリントデータを出力するための認証情報を含み、前記画像処理装置は、前記認証情報に基づいて前記プリントデータの出力を許可する認証手段を具備し、前記出力処理手段は、前記外部記憶装置から読み出した認証情報に基づいて前記認証手段で許可されたプリントデータを出力することを特徴とする。
【００５１】
また、請求項４０の発明は、請求項３７の発明において、前記画像処理装置に対する動作を指示する動作指示情報、前記プリントデータの出力を依頼する画像処理装置を示す依頼先情報の少なくとも１つを前記外部記憶装置に予め記憶させ、前記プリント依頼装置は、前記外部記憶装置に予め記憶された依頼先情報に従って前記プリントデータの出力を依頼し、前記画像処理装置は、前記外部記憶装置に予め記憶された動作指示情報の指示に従って動作を実施することを特徴とする。
【００５２】
また、請求項４１の発明は、請求項４０の発明において、前記動作指示情報は、前記出力処理手段により前記プリントデータが出力された後に、該プリントデータを削除するか否かを指示することを特徴とする。
【００５３】
また、請求項４２の発明は、プリントデータの出力を依頼する際に識別情報を該プリントデータに付加して依頼するとともに、該識別情報を外部記憶装置に格納するプリント依頼装置とネットワークを介して接続する画像処理装置において、前記プリント依頼装置からのプリントデータの出力の依頼を受け付ける受付手段と、前記受付手段で受け付けたプリントデータを格納するプリントデータ格納手段と、前記プリントデータ格納手段に格納されたプリントデータを読み出して出力する出力処理手段と、前記外部記憶装置と接続する第２の外部記憶装置接続手段と、前記第２の外部記憶装置接続手段に前記外部記憶装置が接続しているか否かを判別する第２の判別手段とを具備し、前記出力処理手段は、前記第２の判別手段により前記第２の外部記憶装置接続手段に前記外部記憶装置が接続していると判別された場合、該外部記憶装置から前記識別情報格納処理手段により格納された識別情報を読み出し、該読み出した識別情報に基づいて前記プリントデータ格納手段に格納されたプリントデータを検索し、該検索したプリントデータを出力することを特徴とする。
【００５４】
また、請求項４３の発明は、請求項４２の発明において、前記識別情報は、前記画像データの識別番号と、該画像データの格納場所を示す格納場所情報とを含むことを特徴とする。
【００５５】
また、請求項４４の発明は、請求項４２の発明において、前記識別情報は、前記プリントデータを出力するための認証情報を含み、前記認証情報に基づいて前記プリントデータの出力を許可する認証手段を具備し、前記出力処理手段は、前記外部記憶装置から読み出した認証情報に基づいて前記認証手段で許可されたプリントデータを出力することを特徴とする。
【００５６】
また、請求項４５の発明は、請求項４２の発明において、動作を指示する動作指示情報を前記外部記憶装置に予め記憶させ、前記外部記憶装置に予め記憶された動作指示情報の指示に従って動作を実施することを特徴とする。
【００５７】
また、請求項４６の発明は、請求項４５の発明において、前記動作指示情報は、前記出力処理手段により前記プリントデータが出力された後に、該プリントデータを削除するか否かを指示することを特徴とする。
【００５８】
また、請求項４７の発明は、ネットワークに接続するプリント依頼装置において、前記ネットワーク上の画像処理装置にプリントデータの出力を依頼する際に識別情報を該プリントデータに付加して依頼するプリントデータ出力依頼手段と、外部記憶装置と接続する第１の外部記憶装置接続手段と、前記第１の外部記憶装置接続手段に前記外部記憶装置が接続しているか否かを判別する第１の判別手段と、前記第１の判別手段により前記第１の外部記憶装置接続手段に前記外部記憶装置が接続していると判別された場合、前記識別情報を該外部記憶装置に格納する識別情報格納処理手段とを具備することを特徴とする。
【００５９】
また、請求項４８の発明は、請求項４７の発明において、前記識別情報は、前記画像データの識別番号と、該画像データの格納場所を示す格納場所情報とを含むことを特徴とする。
【００６０】
また、請求項４９の発明は、請求項４７の発明において、前記識別情報は、前記プリントデータを出力するための認証情報を含むことを特徴とする。
【００６１】
また、請求項５０の発明は、請求項４７の発明において、前記プリントデータの出力を依頼する画像処理装置を示す依頼先情報を前記外部記憶装置に予め記憶させ、前記外部記憶装置に予め記憶された依頼先情報に従って前記プリントデータの出力を依頼することを特徴とする。
【００６２】
また、請求項５１の発明は、ネットワークと接続するプリント依頼装置は、プリントデータの出力を依頼する際に識別情報を該プリントデータに付加して依頼し、  前記プリントデータの出力を依頼する際に外部記憶装置が接続している場合、前記識別情報を該外部記憶装置に格納し、前記ネットワークと接続する画像処理装置は、前記プリント依頼装置からのプリントデータの出力の依頼を受け付け、該受け付けたプリントデータを格納し、前記外部記憶装置が接続していると判別された場合、該外部記憶装置から前記識別情報を読み出し、該読み出した識別情報に基づき、前記格納されたプリントデータを検索し、該検索したプリントデータを出力することを特徴とする。
【００６３】
また、請求項５２の発明は、請求項５１の発明において、前記識別情報は、前記画像データの識別番号と、該画像データの格納場所を示す格納場所情報とを含むことを特徴とする。
【００６４】
また、請求項５３の発明は、請求項５１の発明において、前記識別情報は、前記プリントデータを出力するための認証情報を含み、前記画像処理装置は、前記外部記憶装置から読み出した認証情報に基づいて許可されたプリントデータを出力することを特徴とする。
【００６５】
また、請求項５４の発明は、請求項５１の発明において、前記画像処理装置に対する動作を指示する動作指示情報、前記プリントデータの出力を依頼する画像処理装置を示す依頼先情報の少なくとも１つを前記外部記憶装置に予め記憶させ、前記プリント依頼装置は、前記外部記憶装置に予め記憶された依頼先情報に従って前記プリントデータの出力を依頼し、前記画像処理装置は、前記外部記憶装置に予め記憶された動作指示情報の指示に従って動作を実施することを特徴とする。
【００６６】
また、請求項５５の発明は、請求項５４の発明において、前記動作指示情報は、前記プリントデータが出力された後に、該プリントデータを削除するか否かを指示することを特徴とする。
【発明の効果】
【００６７】
本発明によれば、ネットワーク上のあらゆるホストコンピュータから保存文書の検索・取り出しを容易に行うことが可能になるという効果を奏する。
【００６８】
また、本発明によれば、装置内に保存された画像データに含まれる参照情報と、携帯式記憶装置に格納された参照情報とが必ず１対１になるので、取り込み前の煩わしい操作（ＢＯＸ選択等）を排除することが可能になるという効果を奏する。
【００６９】
また、本発明によれば、画像データの識別子とともに参照情報および認証情報が格納されるので、画像データ検索時に予め装置の情報を知っておく必要が無くなるとともに、認証操作も省略することが可能になるという効果を奏する。
【００７０】
また、本発明によれば、携帯式記憶装置に格納する情報として、予め保存先の指定および認証情報の登録を行っておき、これをデジタル複合機に接続してスキャンした際には、登録した情報に基づいて処理を行うようにすることで、デジタル複合機上での画像データ保存時の保存先の選択を省略することができ、全体の操作を簡素化することが可能になるという効果を奏する。
【００７１】
また、本発明によれば、セキュリティプリントの全体の操作を簡素化することが可能になるという効果を奏する。
【発明を実施するための最良の形態】
【００７２】
以下、本発明に係るの実施の形態について、添付図面を参照して詳細に説明する。
【実施例１】
【００７３】
図１は、本発明の実施例１に係る画像処理システム１の構成の一例を示すブロック図である。
【００７４】
図１に示すように、本発明の実施例１に係る画像処理システム１は、ネットワーク２に接続されたデジタル複合機３、複数のコンピュータ４、サーバコンピュータ５から構成されており、携帯式記憶装置（例えば、ＵＳＢメモリ等）６はデジタル複合機３およびコンピュータ５とインターフェースを介して接続可能である。
【００７５】
デジタル複合機３は、コピー、プリント、スキャンおよびＦＡＸ等の複数の機能を処理することが可能なデジタル装置である。
【００７６】
コンピュータ４は、クライアントマシンとしてデジタル複合機３およびサーバコンピュータ５に格納された画像データ等を取り込むために用いるものである。
【００７７】
サーバコンピュータ５は、デジタル複合機３がスキャンした画像データを格納するものである。
【００７８】
携帯式記憶装置６は、デジタル複合機３でスキャンする際にデジタル複合機３に接続され、デジタル複合機３でスキャンした画像データを取り込むためにコンピュータ４に接続される。
【００７９】
図２は、デジタル複合機３の構成の一例を示すブロック図である。
【００８０】
図２に示すように、デジタル複合機３は、コントロールモジュール７、読取モジュール８、印字モジュール９、操作パネルモジュール１０、インターフェース１１を具備して構成される。
【００８１】
コントロールモジュール７は、ＣＰＵ１２、ＲＯＭ１３、ＲＡＭ１４、ＨＤＤ１５、モジュール制御部１６、インターフェース制御部１７、内部バス１８を具備して構成される。
【００８２】
ＣＰＵ１２は、ＲＯＭ１３に格納されている制御プログラムに従って、モジュール制御部１６、インターフェース制御部１７を介して、読取モジュール８、印字モジュール９、操作パネルモジュール１０、インターフェース１１を制御する。
【００８３】
ＲＯＭ１３に格納されたプログラムは、操作パネルモジュール１０でのスキャン指示を受け付けて、読取モジュール８より読み取った画像データに参照情報および認証情報（後述にて詳細に説明する）を付加し、画像データとともにＲＡＭ１４若しくはＨＤＤ１５に格納するように構成されている。なお、画像データに参照情報および認証情報を付加することに限定する必要は無く、画像データと参照情報及び認証情報とを関連付けて格納しても良い。
【００８４】
インターフェース制御部１７は、コネクタ１９を介して携帯式記憶装置６の有無を検出し、ＣＰＵ１２に対して通知し、携帯式記憶装置６が有りと認識された場合は読取モジュール８より画像データを読み取った時に付加した参照情報および認識情報を携帯式記憶装置６に格納する。更に、インターフェース制御部１７は、ネットワーク２に接続されているコンピュータ４からインターフェース１１を介して画像取り込み要求を受け付けると、ＣＰＵ１２に対して割り込み要求を通知し、ＣＰＵ１２は割り込み要求の通知を受け付けると、ＲＯＭ１３に格納されたプログラムに従ってコンピュータ４からの画像取り込み要求を解析し、ＲＡＭ１４若しくはＨＤＤ１５に格納されている画像データを検索・抽出し、抽出した画像データをインターフェース制御部１７に渡し、インターフェース制御部１７は画像データを受け取ると、インターフェース１１を介してコンピュータ４に画像データを送信する。
【００８５】
内部バス１８は、コントロールモジュール７のバスであり、ＣＰＵ１２とその他の装置を接続する機能を有する。
【００８６】
図３は、ＲＡＭ１４、ＨＤＤ１５および携帯式記憶装置６に格納される参照情報および認証情報の構成の一例を示す図である。
【００８７】
図３に示すように、参照情報および認証情報は、画像データ１つにつき１つ付加される識別番号２０、画像データを格納した場所を示す画像データ格納場所２１、画像データ格納場所にアクセスするための認証ＩＤである画像データ格納場所のユーザＩＤ２２、画像データ格納場所にアクセスするための認証パスワードである画像データ格納場所のパスワード２３、画像データ格納日時２４等から構成される。
【００８８】
本発明の実施例１に係るデジタル複合機３は、スキャンした画像データの保存において、予めデジタル複合機３の所定の場所に携帯式記憶装置６を接続し、画像データの参照情報および認証情報を携帯式記憶装置６に格納し、画像データの検索・取り込みにおいて、画像データの参照情報および認証情報を格納した携帯式記憶装置６をコンピュータ４に接続することで、予め画像データの保存先を選択する必要が無く、且つ認証操作も省くことができ、容易に画像データを取り込むことができる。
【００８９】
次に、本発明の実施例１に係るデジタル複合機３が行うスキャンした画像データの保存の処理手順について図４に示すフローチャートを参照して説明する。
【００９０】
先ず、携帯式記憶装置が接続されているか否かを確認する（ステップＳ４０１）。携帯式記憶装置が接続されていると確認した場合（ステップＳ４０１でＹＥＳ）、ステップＳ４０２に進み、携帯式記憶装置が接続されていないと確認した場合（ステップＳ４０１でＮＯ）、ステップＳ４１１に進む。
【００９１】
携帯式記憶装置が接続されていると確認した場合（ステップＳ４０１でＹＥＳ）、画像データの格納先が装置内であるかサーバコンピュータであるかを確認する（ステップＳ４０２）。格納先が装置内であると確認した場合（ステップＳ４０２でＹＥＳ）、ステップＳ４０６に進み、格納先がサーバコンピュータであると確認した場合（ステップＳ４０２でＮＯ）、ステップＳ４０３に進む。
【００９２】
格納先がサーバコンピュータであると確認した場合（ステップＳ４０２でＮＯ）、サーバコンピュータ上の格納場所を受け付け（ステップＳ４０３）、サーバコンピュータにアクセスするためのユーザＩＤを受け付け（ステップＳ４０４）、サーバコンピュータにアクセスするためのパスワードを受け付け（ステップＳ４０５）、ステップＳ４０６に進む。
【００９３】
その他追加で設定する項目の有無を確認する（ステップＳ４０６）。その他追加で設定する項目が有ると確認した場合（ステップＳ４０６でＹＥＳ）、ステップＳ４０７に進み、その他追加で設定する項目が無いと確認した場合（ステップＳ４０６でＮＯ）、ステップＳ４０８に進む。
【００９４】
その他追加で設定（例えば、カラーモード、解像度等をデフォルトの設定から変更する）する項目が有ると確認した場合（ステップＳ４０６でＹＥＳ）、その他の設定を受け付け（ステップＳ４０７）、ステップＳ４０８に進む。
【００９５】
スキャンボタンの押下等によりスキャンが開始し（ステップＳ４０８）、スキャンした画像データを格納先に保存し（ステップＳ４０９）、画像データの参照情報・認証情報を携帯式記憶装置に格納し（ステップＳ４１０）、画像データの保存の処理手順を終了する。
【００９６】
携帯式記憶装置が接続されていないと確認した場合（ステップＳ４０１でＮＯ）、画像データの格納先が装置内であるかサーバコンピュータであるかを確認する（ステップＳ４１１）。格納先が装置内であると確認した場合（ステップＳ４１１でＹＥＳ）、ステップＳ４１５に進み、格納先がサーバコンピュータであると確認した場合（ステップＳ４１１でＮＯ）、ステップＳ４１２に進む。
【００９７】
格納先がサーバコンピュータであると確認した場合（ステップＳ４１１でＮＯ）、サーバコンピュータ上の格納場所を受け付け（ステップＳ４１２）、サーバコンピュータにアクセスするためのユーザＩＤを受け付け（ステップＳ４１３）、サーバコンピュータにアクセスするためのパスワードを受け付け（ステップＳ４１４）、ステップＳ４１８に進む。
【００９８】
格納先が装置内であると確認した場合（ステップＳ４１１でＹＥＳ）、予め装置内に格納する場所が確保されているか否かを確認する（ステップＳ４１５）。格納する場所が確保されていないことを確認した場合（ステップＳ４１５でＮＯ）、ステップＳ４１６に進み、格納する場所が確保されていることを確認した場合（ステップＳ４１５でＹＥＳ）、ステップＳ４１７に進む。
【００９９】
格納する場所が確保されていないことを確認した場合（ステップＳ４１５でＮＯ）、格納する場所を新たに作成し（ステップＳ４１６）、ステップＳ４１７に進む。
【０１００】
格納する場所を設定し（ステップＳ４１７）、ステップＳ４１８に進む。
【０１０１】
その他追加で設定する項目の有無を確認する（ステップＳ４１８）。その他追加で設定する項目が有ると確認した場合（ステップＳ４１８でＹＥＳ）、ステップＳ４１９に進み、その他追加で設定する項目が無いと確認した場合（ステップＳ４１８でＮＯ）、ステップＳ４２０に進む。
【０１０２】
その他追加で設定（例えば、カラーモード、読み取り解像度等をデフォルトの設定から変更する）する項目が有ると確認した場合（ステップＳ４１８でＹＥＳ）、その他の設定を受け付け（ステップＳ４１９）、ステップＳ４２０に進む。
【０１０３】
スキャンボタンの押下等によりスキャンが開始し（ステップＳ４２０）、スキャンした画像データを格納先に保存し（ステップＳ４２１）、画像データの保存の処理手順を終了する。
【０１０４】
なお、画像データへの参照情報および認証情報の一部である画像データ格納場所、画像データ格納場所のユーザＩＤおよび画像データ格納場所のパスワードを予め携帯式記憶装置６に設定し、これらの情報が設定された携帯式記憶装置６をデジタル複合機３に接続した場合は図４に示すフローチャートのステップＳ４０２〜ステップＳ４０５の処理を省略することが可能になる。
【０１０５】
また、図４に示すフローチャートのステップＳ４０２において、格納先が指定されなかった場合は格納先を装置内とする処理も適用可能である。
【０１０６】
また、図４に示すフローチャートのステップＳ４０７において追加で設定する項目（例えば、カラーモード、読み取り解像度等）についても画像データへの参照情報および認証情報に含めることで、携帯式記憶装置６の接続後直ちにスキャンボタンの押下を実施することができ、更なる操作の簡素化が実現できる。
【０１０７】
また、その他の設定として、例えば、画像データ取り込み後の扱いとして、格納場所から画像データを削除するか、画像データを削除せずに格納場所に残すかの設定を設け、削除するか否かの設定の情報が参照情報および認証情報として格納されるようにしても良い。また、その設定は図４に示すステップＳ４０７で変更できるようにしても良い。
【０１０８】
また、上述した格納先の選択、各種設定、ボタンの押下等は操作パネルモジュール１０から行われる。
【０１０９】
ここまでが、スキャンした画像データの保存の手順の説明になるが、携帯式記憶装置６が接続されている場合と、接続されていない場合とでは、装置内に画像データを保存する際の手順において、前者は装置内の格納先の指定を行う必要が無いのに対し、後者は格納先の指定を行う必要があることが大きな違いである。
【０１１０】
図５は、コンピュータ４の機能的な構成の一例を示すブロック図である。
【０１１１】
図５に示すように、コンピュータ４は、インターフェース２５、インターフェース制御部２６を具備して構成され、更にコンピュータ４には、デジタル複合機３若しくはサーバコンピュータ５に格納された画像データを取り込むためのアプリケーション２７がインストールされている。
【０１１２】
インターフェース制御部２６はコネクタ１９を介して携帯式記憶装置６の有無を検出し、アプリケーション２７に対して通知し、携帯式記憶装置６が有りと認識された場合は携帯式記憶装置６から参照情報および認証情報を読み込み、読み込んだ参照情報および認証情報をアプリケーション２７に渡し、アプリケーション２７は参照情報および認証情報を受け取ると、参照情報に基づいて格納先（デジタル複合機３若しくはサーバコンピュータ５）を認識し、認識した格納先に対して画像取り込み要求を送信し、ログインが必要な格納先の場合は認証情報に基づいてログインを行い、参照情報に基づいて取り込む画像データを検索し、検索した画像データを取り込む。
【０１１３】
次に、本発明の実施例１に係るコンピュータ４にインストールされたアプリケーション２７が行う画像データの検索・取り込みの処理手順について図６に示すフローチャートを参照して説明する。
【０１１４】
先ず、コンピュータ上でアプリケーションが起動され（ステップＳ６０１）、携帯式記憶装置が接続されているか否かを確認する（ステップＳ６０２）。携帯式記憶装置が接続されていると確認した場合（ステップＳ６０２でＹＥＳ）、ステップＳ６０３に進み、携帯式記憶装置が接続されていないと確認した場合（ステップＳ６０２でＮＯ）、ステップＳ６１２に進む。
【０１１５】
携帯式記憶装置が接続されていると確認した場合（ステップＳ６０２でＹＥＳ）、携帯式記憶装置から参照情報および認証情報を読み込み（ステップＳ６０３）、読み込んだ参照情報に基づいて画像データの格納先が装置内であるかサーバコンピュータであるかを確認する（ステップＳ６０４）。格納先が装置内であると確認した場合（ステップＳ６０４でＹＥＳ）、ステップＳ６０８に進み、格納先がサーバコンピュータであると確認した場合（ステップＳ６０４でＮＯ）、ステップＳ６０５に進む。
【０１１６】
なお、上述した格納先の判別には、公知のＳＮＭＰプロトコル若しくはＳＬＭ（Salutation Manager）等の通信プロトコルモジュールで得られる機器情報等で実現される。
【０１１７】
格納先がサーバコンピュータであると確認した場合（ステップＳ６０４でＮＯ）、画像データへの認証情報である画像データ格納場所のユーザＩＤと、画像データ格納場所のパスワードとに基づき、サーバコンピュータへのログインを実施し（ステップＳ６０５）、サーバコンピュータにログインが完了したか否かを確認する（ステップＳ６０６）。ログインが完了できたことを確認した場合（ステップＳ６０６でＹＥＳ）、ステップＳ６０８に進み、ログインが完了できなかったことを確認した場合（ステップＳ６０６でＮＯ）、ステップＳ６０７に進む。
【０１１８】
ログインが完了できなかったことを確認した場合（ステップＳ６０６でＮＯ）、従来通り手動でサーバコンピュータへのログインを実施し（ステップＳ６０７）、ステップＳ６０６に戻り、ログインが完了するまでステップＳ６０７〜ステップＳ６０６を繰り返す。
【０１１９】
ログインが完了できたことを確認した場合（ステップＳ６０６でＹＥＳ）、画像データへの参照情報である識別番号に基づいて画像データを検索し（ステップＳ６０８）、格納先の画像データの有無を確認する（ステップＳ６０９）。画像データが有ることを確認した場合（ステップＳ６０９でＹＥＳ）、ステップＳ６１０に進み、画像データが無いことを確認した場合（ステップＳ６０９でＮＯ）、ステップＳ６１１に進む。
【０１２０】
画像データが有ることを確認した場合（ステップＳ６０９でＹＥＳ）、画像データを取り込み（ステップＳ６１０）、ステップＳ６１１に進む。
【０１２１】
参照情報および認証情報を削除し（ステップＳ６１１）、画像データの検索・取り込みの処理手順を終了する。
【０１２２】
携帯式記憶装置が接続されていないと確認した場合（ステップＳ６０２でＮＯ）、画像データの格納場所の情報を受け付け（ステップＳ６１２）、格納場所にアクセスするためのユーザＩＤを受け付け（ステップＳ６１３）、格納場所にアクセスするためのパスワードを受け付け（ステップＳ６１４）、ユーザＩＤとパスワードとに基づいて格納場所へのログインを実施し（ステップＳ６１５）、格納場所にログインが完了したか否かを確認する（ステップＳ６１６）。ログインが完了できたことを確認した場合（ステップＳ６１６でＹＥＳ）、ステップＳ６１７に進み、ログインが完了できなかったことを確認した場合（ステップＳ６１６でＮＯ）、ステップＳ６１２に戻り、ログインが完了するまでステップＳ６１２〜ステップＳ６１５を繰り返す。
【０１２３】
ログインが完了できたことを確認した場合（ステップＳ６１６でＹＥＳ）、格納場所の画像データの有無を確認する（ステップＳ６１７）。画像データが有ることを確認した場合（ステップＳ６１７でＹＥＳ）、ステップＳ６１８に進み、画像データが無いことを確認した場合（ステップＳ６１７でＮＯ）、画像データの検索・取り込みの処理手順を終了する。
【０１２４】
画像データが有ることを確認した場合（ステップＳ６１７でＹＥＳ）、取り込む画像データの選択を受け付け（ステップＳ６１８）、画像データを取り込み（ステップＳ６１９）、画像データの検索・取り込みの処理手順を終了する。
【０１２５】
なお、上述では参照情報および認証情報を削除する処理を設けたが、手動で削除する処理を設けても適用可能である。更に、参照情報および認証情報に画像データを削除するか否かの設定の情報が格納されている場合、その情報に基づいて画像データを削除するか否か選択する処理を設けても適用可能である。
【０１２６】
ここまでが、スキャンした画像データの検索・取り込みの手順の説明になるが、携帯式記憶装置６が接続されている場合と、接続されていない場合とでは、画像データの格納場所を検索する手順において、前者は格納場所の情報（例えば、マシン名、ＩＰアドレス等）を覚えておく必要が無く自動で格納場所を検索するのに対し、後者は格納場所の指定を行う必要があることが大きな違いであり、また、装置内からの画像データの取り込みの際に、前者は画像データの選択をする必要は無く自動で画像データを選択して取り込むのに対し、後者は画像データの選択を行う必要があることが大きな違いである。
【０１２７】
図７は、図４に示すフローチャートのステップＳ４０２の際に操作パネルモジュール１０に表示される画面の一例を示す図である。
【０１２８】
ここで、図７に示す画面において、文書保存先を「サーバ」に設定すると、図８に示す画面が操作パネルモジュール１０に表示される。
【０１２９】
図８は、図４に示すフローチャートのステップＳ４０２においてサーバを設定した際に操作パネルモジュール１０に表示される画面の一例を示す図である。
【０１３０】
図８に示す画面において、保存するサーバ名、保存場所、ログイン名およびパスワードを入力することができる。
【０１３１】
図９は、図６に示すフローチャートのステップＳ６０４の際にコンピュータ４の表示装置に表示される画面の一例を示す図である。
【０１３２】
図９に示す画面は、コンピュータ４に携帯式記憶装置６を接続して画像データを取り込む際に、携帯式記憶装置６に複数の画像データへの参照情報および認証情報が格納されている場合に表示される。
【０１３３】
なお、コンピュータ４の表示装置に表示したい情報を画像データへの参照情報および認証情報に含めることで、保存されている画像データの情報表示の工夫も実現することができる。
【実施例２】
【０１３４】
図１０は、本発明の実施例２に係るプリント処理システム２８の構成の一例を示すブロック図である。
【０１３５】
図１０に示すように、本発明の実施例２に係るプリント処理システム２８は、ネットワーク２に接続されたデジタル複合機３、複数のコンピュータ４から構成されており、携帯式記憶装置（例えば、ＵＳＢメモリ等）６はデジタル複合機３およびコンピュータ４とインターフェースを介して接続可能である。
【０１３６】
デジタル複合機３は、コピー、プリント、スキャンおよびＦＡＸ等の複数の機能を処理することが可能なデジタル装置である。
【０１３７】
コンピュータ４は、クライアントマシンとしてデジタル複合機３に対してプリントデータのセキュリティプリントを指示するために用いるものである。ここで、セキュリティプリントとは、コンピュータ４からデジタル複合機３に対してプリントデータの出力を指示する際に、認証情報を含めたプリントデータをデジタル複合機３に送信し、デジタル複合機３はその認証情報を受け付けた時に限ってプリントデータを出力することである。
【０１３８】
携帯式記憶装置６は、デジタル複合機３に対してセキュリティプリントを指示する際にコンピュータ４に接続され、デジタル複合機３が受け取ったプリントデータを出力するためにデジタル複合機３に接続される。
【０１３９】
図１１は、コンピュータ４の機能的な構成の一例を示すブロック図である。
【０１４０】
図１１に示すように、コンピュータ４は、インターフェース２５、インターフェース制御部２６を具備して構成され、更にコンピュータ４には、デジタル複合機３に対してセキュリティプリントを指示するためのアプリケーション２７がインストールされている。
【０１４１】
コンピュータ４からデジタル複合機３に対してセキュリティプリントを指示する際に、アプリケーション２７はセキュリティプリント用の認証情報を受け付け、受け付けた認証情報をプリントデータに含め、インターフェース制御部２６はそのプリントデータをインターフェース２５を介してデジタル複合機３に送信し、インターフェース制御部２６はコネクタ１９を介して携帯式記憶装置６の有無を検出し、アプリケーション２７に対して通知し、携帯式記憶装置６が有りと認識された場合は携帯式記憶装置６にプリントデータの参照情報および認証情報を格納する。なお、参照情報および認証情報については後述にて詳細に説明する。
【０１４２】
図１２は、携帯式記憶装置６に格納される参照情報および認証情報の構成の一例を示す図である。
【０１４３】
図１２に示すように、参照情報および認証情報は、プリントデータ１つにつき１つ付加される識別番号２９、画像データを格納した場所を示す画像データ格納場所３０、プリントデータを出力するための認証ＩＤであるユーザＩＤ３１、プリントデータを出力するための認証パスワードであるパスワード３２、プリントデータ送信日時３３等から構成される。
【０１４４】
次に、本発明の実施例２に係るコンピュータ４にインストールされたアプリケーション２７が行うデジタル複合機３に対するセキュリティプリントの指示の処理手順について図１３に示すフローチャートを参照して説明する。
【０１４５】
先ず、コンピュータ上でアプリケーションが起動され（ステップＳ１３０１）、プリントデータの出力先を受け付け（ステップＳ１３０２）、プリントデータを出力するためのユーザＩＤを受け付け（ステップＳ１３０３）、プリントデータを出力するためのパスワードを受け付け（ステップＳ１３０４）、その他追加で設定する項目の有無を確認する（ステップＳ１３０５）。その他追加で設定する項目が有ると確認した場合（ステップＳ１３０５でＹＥＳ）、ステップＳ１３０６に進み、その他追加で設定する項目が無いと確認した場合（ステップＳ１３０５でＮＯ）、ステップＳ１３０７に進む。
【０１４６】
その他追加で設定する項目が有ると確認した場合（ステップＳ１３０５でＹＥＳ）、その他の設定を受け付け（ステップＳ１３０６）、ステップＳ１３０７に進む。
【０１４７】
プリントデータを出力するための参照情報および認証情報をプリントデータに添付し（ステップＳ１３０７）、プリントデータをデジタル複合機に送信し（ステップＳ１３０８）、携帯式記憶装置が接続されているか否かを確認する（ステップＳ１３０９）。携帯式記憶装置が接続されていると確認した場合（ステップＳ１３０９でＹＥＳ）、ステップＳ１３１０に進み、携帯式記憶装置が接続されていないと確認した場合（ステップＳ１３０９でＮＯ）、セキュリティプリントの指示の処理手順を終了する。
【０１４８】
携帯式記憶装置が接続されていると確認した場合（ステップＳ１３１０でＹＥＳ）、プリントデータを出力するための参照情報および認証情報を携帯式記憶装置に格納し（ステップＳ１３１０）、セキュリティプリントの指示の処理手順を終了する。
【０１４９】
なお、プリントデータを出力するための参照情報および認証情報の一部であるプリントデータの出力先、ユーザＩＤおよびパスワードを予め携帯式記憶装置６に記憶し、これらの情報が記憶された携帯式記憶装置６をコンピュータ４に接続した場合は図１３に示すフローチャートのステップＳ１３０２〜ステップＳ１３０４の処理を省略することが可能になる。
【０１５０】
また、図１３に示すフローチャートのステップＳ１３０６において追加で設定する項目についてもプリントデータを出力するための参照情報および認証情報に含めることで、携帯式記憶装置６の接続後直ちにセキュリティプリントの指示を行うことができ、更なる操作の簡素化が実現できる。
【０１５１】
また、上述したその他の設定として、例えば、プリントデータ出力後の扱いとして、デジタル複合機３からプリントデータを削除するか、プリントデータを削除せずにデジタル複合機３に残すかの設定があり、この場合は削除するか否かの設定の情報が参照情報および認証情報として格納される。
【０１５２】
図１４は、デジタル複合機３の構成の一例を示すブロック図である。
【０１５３】
図１４に示すように、デジタル複合機３は、コントロールモジュール７、読取モジュール８、印字モジュール９、操作パネルモジュール１０、インターフェース１１を具備して構成される。
【０１５４】
コントロールモジュールは７、ＣＰＵ１２、ＲＯＭ１３、ＲＡＭ１４、ＨＤＤ１５、モジュール制御部１６、インターフェース制御部１７、内部バス１８を具備して構成される。
【０１５５】
ＣＰＵ１２は、ＲＯＭ１３に格納されている制御プログラムに従って、モジュール制御部１６、インターフェース制御部１７を介して、読取モジュール８、印字モジュール９、操作パネルモジュール１０、インターフェース１１を制御する。
【０１５６】
ＲＯＭ１３に格納されたプログラムは、コンピュータ４からセキュリティプリントが指示されたプリンタデータ（プリンタデータを出力するための参照情報および認証情報も含む）をＲＡＭ１４若しくはＨＤＤ１５に格納し、携帯式記憶装置６がインターフェース１１を介して接続された際に携帯式記憶装置６から参照情報および認証情報を読み出し、ＲＡＭ１４若しくはＨＤＤ１５に格納されたプリントデータを読み出して印字モジュール９に渡し、印字モジュール９はプリントデータを受け取ると、受け取ったプリントデータを用紙上に形成して出力するように構成されている。
【０１５７】
インターフェース制御部１７は、コネクタ１９を介して携帯式記憶装置６の有無を検出し、ＣＰＵ１２に対して通知し、携帯式記憶装置６が有りと認識された場合は携帯式記憶装置６から参照情報および認証情報を読み出し、読み出した参照情報および認証情報をＣＰＵ１２に渡し、ＣＰＵ１２は参照情報および認証情報を受け取ると、認証情報に基づいてＲＡＭ１４若しくはＨＤＤ１５からプリントデータを検索し、検索したプリントデータに含まれる認証情報と、携帯式記憶装置６から読み出した認証情報とを比較し、両認証情報が一致することを確認した場合はプリントデータを印字モジュール９に渡す。
【０１５８】
内部バス１８は、コントロールモジュール７のバスであり、ＣＰＵ１２とその他の装置を接続する機能を有する。
【０１５９】
次に、本発明の実施例２に係るデジタル複合機３が行うセキュリティプリントの処理手順について図１５に示すフローチャートを参照して説明する。
【０１６０】
先ず、携帯式記憶装置が接続されているか否かを確認する（ステップＳ１５０１）。携帯式記憶装置が接続されていると確認した場合（ステップＳ１５０１でＹＥＳ）、ステップＳ１５０２に進み、携帯式記憶装置が接続されていないと確認した場合（ステップＳ１５０１でＮＯ）、ステップＳ１５１０に進む。
【０１６１】
携帯式記憶装置が接続されていると確認した場合（ステップＳ１５０１でＹＥＳ）、携帯式記憶装置から参照情報および認証情報を読み込み（ステップＳ１５０２）、プリントデータを出力するための参照情報である識別番号および画像データ格納場所に基づいてプリントデータを検索し（ステップＳ１５０３）、プリントデータの有無を確認する（ステップＳ１５０４）。プリントデータが有ることを確認した場合（ステップＳ１５０４でＹＥＳ）、ステップＳ１５０５に進み、プリントデータが無いことを確認した場合（ステップＳ１５０４でＮＯ）、ステップＳ１５０９に進む。。
【０１６２】
プリントデータが有ることを確認した場合（ステップＳ１５０４でＹＥＳ）、プリントデータを出力するための認証情報であるユーザＩＤとパスワードとに基づいてログインを実施し（ステップＳ１５０５）、ログインが完了したか否かを確認する（ステップＳ１５０６）。ログインが完了できたことを確認した場合（ステップＳ１５０６でＹＥＳ）、ステップＳ１５０８に進み、ログインが完了できなかったことを確認した場合（ステップＳ１５０６でＮＯ）、ステップＳ１５０７に進む。
【０１６３】
ログインが完了できなかったことを確認した場合（ステップＳ１５０６でＮＯ）、従来通り手動でログインを実施し（ステップＳ１５０７）、ステップＳ１５０６に戻り、ログインが完了するまでステップＳ１５０７〜ステップＳ１５０６を繰り返す。
【０１６４】
ログインが完了できたことを確認した場合（ステップＳ１５０６でＹＥＳ）、プリントデータを出力し（ステップＳ１５０８）、ステップＳ１５０９に進む。
【０１６５】
参照情報および認証情報を削除し（ステップＳ１５０９）、セキュリティプリントの処理手順を終了する。
【０１６６】
携帯式記憶装置が接続されていないと確認した場合（ステップＳ１５０１でＮＯ）、プリントデータの選択を受け付け（ステップＳ１５１０）、プリントデータを出力するためのユーザＩＤを受け付け（ステップＳ１５１１）、プリントデータを出力するためのパスワードを受け付け（ステップＳ１５１２）、ユーザＩＤとパスワードとに基づいてログインを実施し（ステップＳ１５１３）、ログインが完了したか否かを確認する（ステップＳ１５１４）。ログインが完了できたことを確認した場合（ステップＳ１５１４でＹＥＳ）、ステップＳ１５１５に進み、ログインが完了できなかったことを確認した場合（ステップＳ１５１４でＮＯ）、ステップＳ１５１１に戻り、ログインが完了するまでステップＳ１５１１〜ステップＳ１５１４を繰り返す。
【０１６７】
ログインが完了できたことを確認した場合（ステップＳ１５１４でＹＥＳ）、プリントデータを出力し（ステップＳ１５１５）、セキュリティプリントの処理手順を終了する
なお、上述では参照情報および認証情報を削除する処理を設けたが、手動で削除する処理を設けても適用可能である。更に、参照情報および認証情報にプリントデータを削除するか否かの設定の情報が格納されている場合、その情報に基づいてプリントデータを削除するか否か選択する処理を設けても適用可能である。
【０１６８】
また、実際に携帯式記憶装置６を接続してプリント出力を得る装置は、同一の機能を有する装置であれば、特に図１３に示すフローチャートのステップＳ１３０８で送信した装置に限定されるものではない。
【図面の簡単な説明】
【０１６９】
【図１】本発明の実施例１に係る画像処理システム１の構成の一例を示すブロック図である。
【図２】デジタル複合機３の構成の一例を示すブロック図である。
【図３】ＲＡＭ１４、ＨＤＤ１５および携帯式記憶装置６に格納される参照情報および認証情報の構成の一例を示す図である。
【図４】本発明の実施例１に係るデジタル複合機３が行うスキャンした画像データの保存の処理手順を示すフローチャートである。
【図５】コンピュータ４の機能的な構成の一例を示すブロック図である。
【図６】本発明の実施例１に係るコンピュータ４にインストールされたアプリケーション２７が行う画像データの検索・取り込みの処理手順を示すフローチャートである。
【図７】図４に示すフローチャートのステップＳ４０２の際に操作パネルモジュール１０に表示される画面の一例を示す図である。
【図８】図４に示すフローチャートのステップＳ４０２においてサーバを設定した際に操作パネルモジュール１０に表示される画面の一例を示す図である。
【図９】図６に示すフローチャートのステップＳ６０４の際にコンピュータ４の表示装置に表示される画面の一例を示す図である。
【図１０】本発明の実施例２に係るプリント処理システム２８の構成の一例を示すブロック図である。
【図１１】コンピュータ４の機能的な構成の一例を示すブロック図である。
【図１２】携帯式記憶装置６に格納される参照情報および認証情報の構成の一例を示す図である。
【図１３】本発明の実施例２に係るコンピュータ４にインストールされたアプリケーション２７が行うデジタル複合機３に対するセキュリティプリントの指示の処理手順を示すフローチャートである。
【図１４】デジタル複合機３の構成の一例を示すブロック図である。
【図１５】本発明の実施例２に係るデジタル複合機３が行うセキュリティプリントの処理手順を示すフローチャートである。
【符号の説明】
【０１７０】
１    画像処理システム
２    ネットワーク
３    デジタル複合機
４    コンピュータ
５    サーバコンピュータ
６    携帯式記憶装置
７    コントロールモジュール
８    読取モジュール
９    印字モジュール
１０    操作パネルモジュール
１１    インターフェース
１２    ＣＰＵ
１３    ＲＯＭ
１４    ＲＡＭ
１５    ＨＤＤ
１６    モジュール制御部
１７    インターフェース制御部
１８    内部バス
１９    コネクタ
２０    識別番号
２１    画像データ格納場所
２２    画像データ格納場所のユーザＩＤ
２３    画像データ格納場所のパスワード
２４    画像データ格納日時
２５    インターフェース
２６    インターフェース制御部
２７    アプリケーション
２８    プリント処理システム
２９    識別番号
３０    画像データ格納場所
３１    プリントデータのユーザＩＤ
３２    プリントデータのパスワード
３３    プリントデータ送信日時
【図１】
2006060484.tif 000003
【図２】
2006060484.tif 000004
【図３】
2006060484.tif 000005
【図４】
2006060484.tif 000006
【図５】
2006060484.tif 000007
【図６】
2006060484.tif 000008
【図７】
2006060484.tif 000009
【図８】
2006060484.tif 000010
【図９】
2006060484.tif 000011
【図１０】
2006060484.tif 000012
【図１１】
2006060484.tif 000013
【図１２】
2006060484.tif 000014
【図１３】
2006060484.tif 000015
【図１４】
2006060484.tif 000016
【図１５】
2006060484.tif 000017